(57)【要約】      （修正有）【課題】管継手の数が多かったり使用圧力が高かったりしたときに、その反力に耐えられ、基板の反りを回避することができる多管継手を提供する。【解決手段】ソケットとプラグが向き合った状態で、ソケットプレート１４とプラグプレート２４の間の距離が第一距離にある非連結状態から、ソケットプレートとプラグプレートの間の距離を第一距離よりも近い第二距離にすると、ロックソケットとロックプラグが連結されてバルブが開いた状態でソケットとプラグが接続されている連結状態となり、バルブ開閉ユニット４２は、非連結状態にあるときにソケットプレートに係合するバルブ閉位置から、ソケットプレートを係合した状態でソケットプレートをプラグプレートに引き寄せ、ソケットプレートとプラグプレートの間の距離を第一距離から第二距離にして連結状態にするバルブ開位置との間で動くようになっている多管継手。【選択図】図１
2020085058.tif 000002
【特許請求の範囲】
【請求項１】
第一プレートと、
第二プレートと、
該第一プレートにある複数の第一連結部と、
該第二プレートにあり、該第一プレートと該第二プレートを固定するために、該複数の第一連結部と連結する複数の第二連結部と、
該第一プレートにある第一管継手と、
該第二プレートにあり、該第一管継手と連結する第二管継手と、
該第一プレートにある第三管継手と、
該第二プレートにあり、該第三管継手と連結する第四管継手と、
該第一管継手から該第四管継手の少なくとも一つに設けられたバルブと、
該第二プレートにあるバルブ開閉ユニットと、
を備え、
該第一管継手と該第二管継手、該第三管継手と該第四管継手が向き合った状態で、該第一プレートと該第二プレートの間の距離が第一距離にある非連結状態から、該第一プレートと該第二プレートの間の距離を該第一距離よりも近い第二距離にすると、該第一連結部と該第二連結部が連結されて該バルブが開いた状態で該第一管継手と該第二管継手、該第三管継手と該第四管継手が接続されている連結状態となり、
該バルブ開閉ユニットは、該非連結状態にあるときに該第一プレートに係合するバルブ閉位置から、該第一プレートを係合した状態で該第一プレートを該第二プレートに引き寄せ、該第一プレートと該第二プレートの間の距離を該第一距離から該第二距離にして該連結状態にするバルブ開位置との間で動くようになっている多管継手。
【請求項２】
該バルブ開閉ユニットは該第二プレートに複数ある、請求項１に記載の多管継手。
【請求項３】
該第一管継手から最も近い該第一連結部までの距離と、その該第一連結部から該第三管継手までの距離が等しく、
該第二管継手から最も近い該第二連結部までの距離と、その該第二連結部から該第四管継手までの距離が等しい、請求項１又は２に記載の多管継手。
【請求項４】
該第一プレートにある管継手はすべてソケットであり、該第二プレートにある管継手はすべてプラグである、請求項１乃至３の何れか一項に記載の多管継手。
【請求項５】
該第一プレートおよび該第二プレートにある全ての管継手はバルブを有している、請求項１乃至４の何れか一項に記載の多管継手。
【発明の詳細な説明】
【技術分野】
【０００１】
本発明は、多数の流体配管同士をソケットとプラグを使って同時に接続することができる多管継手に関するものである。
【背景技術】
【０００２】
１回の接続操作で複数のソケットとプラグとを同時に接続したり切り離したりできるようにして、当該ソケットとプラグの誤接続防止を図るようにした多管継手が知られている。例えば、特許文献１には、多数のソケットを取り付けた第１の基板と多数のプラグを取り付けた第２の基板とを備え、第１の基板の中央部に突出して設けられた係止部材を第２の基板に設けられた施錠部材に係合させた状態で、カム機構に結合された操作レバーを回動させて係止部材を施錠部材側に引き寄せる構造を有する管継手装置が提案されている。この管継手装置では、係止部材が施錠部材側に引き寄せられると第１の基板および第２の基板が互いに接近して両基板上のソケットとプラグとが接続される。また、操作レバーを接続したときとは反対方向に回動させることにより、ソケットとプラグとの接続は解除される。
【先行技術文献】
【特許文献】
【０００３】
【特許文献１】特許第３０９６３８６号公報
【発明の概要】
【発明が解決しようとする課題】
【０００４】
従来の多管継手では、管継手にかかった流体の反力を１つの施錠部材のみで負担するように構成されている。したがって、管継手の数が多かったり使用圧力が高かったりして施錠部材にかかる反力が大きくなると施錠部材と係止部材が破損する虞があった。また、接続後は基板の中央部のみで管継手の反力を保持する構造になっているため、施錠部材から離れた位置に配置されている管継手に反力が加わったときには、基板に大きな曲げモーメントが加わり基板が反ってしまう虞があった。
【０００５】
そこで本発明は、上記問題点に鑑み、管継手の数が多かったり使用圧力が高かったりしたときに、係止部材と施錠部材がその反力に耐えられ、かつ基板の反りを回避することができる多管継手を提供することを目的とする。
【課題を解決するための手段】
【０００６】
すなわち本発明は、
第一プレートと、
第二プレートと、
該第一プレートにある複数の第一連結部と、
該第二プレートにあり、該第一プレートと該第二プレートを固定するために、該複数の第一連結部と連結する複数の第二連結部と、
該第一プレートにある第一管継手と、
該第二プレートにあり、該第一管継手と連結する第二管継手と、
該第一プレートにある第三管継手と、
該第二プレートにあり、該第三管継手と連結する第四管継手と、
該第一管継手から該第四管継手の少なくとも一つに設けられたバルブと、
該第二プレートにあるバルブ開閉ユニットと、
を備え、
該第一管継手と該第二管継手、該第三管継手と該第四管継手が向き合った状態で、該第一プレートと該第二プレートの間の距離が第一距離にある非連結状態から、該第一プレートと該第二プレートの間の距離を該第一距離よりも近い第二距離にすると、該第一連結部と該第二連結部が連結されて該バルブが開いた状態で該第一管継手と該第二管継手、該第三管継手と該第四管継手が接続されている連結状態となり、
該バルブ開閉ユニットは、該非連結状態にあるときに該第一プレートに係合するバルブ閉位置から、該第一プレートを係合した状態で該第一プレートを該第二プレートに引き寄せ、該第一プレートと該第二プレートの間の距離を該第一距離から該第二距離にして該連結状態にするバルブ開位置との間で動くようになっている多管継手を提供する。
【０００７】
当該多管継手においては、連結部を複数設けることで、管継手に加わった流体の反力を分散することができ、施錠部材と係止部材が破損しなくなる。また、管継手は連結部から近い位置に配置することができるため、プレートの反りも抑制できるようになる。
【０００８】
具体的には、該バルブ開閉ユニットは該第二プレートに複数有することができる。
【０００９】
より具体的には、該第一管継手から最も近い該第一連結部までの距離と、その該第一連結部から該第三管継手までの距離が等しく、
該第二管継手から最も近い該第二連結部までの距離と、その該第二連結部から該第四管継手までの距離が等しくすることができる。
【００１０】
該第一プレートにある管継手はすべて雄型管継手であり、該第二プレートにある管継手はすべて雌型管継手にすることができる。
【００１１】
該第一プレートおよび該第二プレートにある全ての管継手はバルブを有することができる。
【００１２】
以下、本発明に係る多管継手の実施形態を添付図面に基づき説明する。
【図面の簡単な説明】
【００１３】
【図１】本発明の一実施形態に係る多管継手の平面図である。
【図２】図１のII―II線から見た多管継手の図である。
【図３】図１のIII―III線から見た多管継手の図である。
【図４】図１のロックソケットとロックプラグの断面図である。
【図５】図１のソケットプレートとプラグプレートの距離が第一距離の状態を示す図である。
【図６】図１のソケットプレートとプラグプレートの距離が第二距離の状態を示す図である。
【図７】図１のロックソケットとロックプラグの接続過程図である。
【発明を実施するための形態】
【００１４】
本発明の一実施形態に係る多管継手は図１〜３に示すように、ソケットユニット１０とプラグユニット１２がある。ソケットユニット１０には、ソケットプレート１４（第一プレート）と、二つのロックソケット（第一連結部）１６、１８があり、ロックソケット１６の周りにはバルブを有しているソケット２０（第一管継手、第三管継手）が六個ある。ロックソケット１６から六個のソケット２０までの各距離は全て等しい距離となっている。また、ロックソケット１８の周りにも同様に、バルブを有しているソケット２２が六個あり、ロックソケット１８から各ソケット２２までの各距離は全て等しい距離となっている。プラグユニット１２には、プラグプレート（第二プレート）２４と、二つのロックプラグ（第二連結部）２６、２８があり、ロックプラグ２６の周りにはバルブを有しているプラグ（第二管継手、第四管継手）３０が六個ある。ロックプラグ２６から各プラグ３０までの各距離は全て等しい距離となっている。また、ロックプラグ２８の周りにも同様に、バルブを有しているプラグ３２が六個あり、ロックプラグ２８から六個のプラグ３２までの各距離は全て等しい距離となっている。ソケットユニット１０とプラグユニット１２を図１のように向かい合わせたときに、ロックソケット１６、１８とロックプラグ２６、２８が向かい合い、ソケット２０、２２とプラグ３０、３２も向かい合うようになっている。
【００１５】
図４および図７に示すように、ロックソケット１６、１８はロックソケット本体５０、スリーブ４０、スライドカラー３４、ボール３６、スプリング５２、キャップ５４で構成されている。スリーブ４０はロックソケット本体５０の外周にあり、スリーブ５２とキャップ５４はねじで固定されている。また、スライドカラー３４はロックソケット本体５０の内周にあり、スプリング５２に押し付けられている。
【００１６】
プラグプレート２４にはバルブ開閉ユニット４２が二つある。各バルブ開閉ユニット４２は、板状の操作部材４４と、操作部材４４の一端に取り付けられたローラー４６とを有している。板状の操作部材４４は、シャフト４８でプラグプレート２４に回転可能に固定されている。
【００１７】
ソケット２０、２２とプラグ３０、３２が向き合った状態で、ソケットプレート１４とプラグプレート２４の間の距離が第一距離にある図５のような状態では、各プラグ３０、３２が対応するソケット２０、２２に部分的に挿入され、ロックプラグ２６、２８が対応するロックソケット１６、１８に部分的に挿入されているが連結はされていない。また、この状態ではソケット２０、２２及びプラグ３０、３２のバルブは開いていない状態（バルブ閉位置）であり、バルブ開閉ユニット４２は、そのローラー４６をソケットプレート１４に係合可能な位置となる。このような非連結状態でバルブ開閉ユニット４２をローラー４６がソケットプレート１４に近づく方向に回転させると、バルブ開閉ユニット４２のローラー４６がソケットプレート１４に係合する。さらにバルブ開閉ユニット４２を回転させると、ソケットプレート１４がプラグプレート２４に引き寄せられて、ソケットプレート１４とプラグプレート２４の間の距離が図６のような第二距離まで近づき、ロックソケット１６、１８とロックプラグ２６、２８は連結された状態となる。このとき、ソケット２０、２２とプラグ３０、３２はバルブが開いた状態（バルブ開位置）で接続される。このようにして、多管継手のロックソケット１６、１８とロックプラグ２６、２８は連結状態となる。
【００１８】
上述したソケットプレート１４とプラグプレート２４との連結過程におけるロックソケット１６、１８とロックプラグ２６、２８との連結は、詳細には下記のとおりとなっている。ロックプラグ２６、２８のロックプラグ本体５６を図７−Ａのようにロックソケット本体５０に挿入し、ロックプラグ本体の端面５８でロックソケット本体５０の内部にあるスライドカラー３４を押すと、スライドカラー３４に乗っていたボール３６がロックプラグ本体５６の外周のボール溝隣６０に乗っかり図７−Ｂのような状態となる。さらにロックプラグ本体５６を押していくと、ボール３６はロックプラグ本体のボール溝３８に入り図７−Ｃの状態になる。そして、スプリング５２の付勢力によってスリーブ４０とキャップ５４が矢印方向６２に移動し、スリーブの内周面６４は径方向で見て、ソケット本体にあるボール穴６６の真上に移動して図７−Ｄのような状態となりロックが完了し連結状態となる。
【００１９】
連結状態から、キャップ５４の端面６８を押すと、スリーブの溝部７０は径方向から見てソケット本体にあるボール穴６６の真上に移動し、図７（Ｃ）のような状態になる。そして、キャップ５４を押した状態でロックプラグ本体５６を矢印方向７２に引き抜くと、スプリング５２の付勢力によってスライドカラー３４が矢印方向７２に移動し、ボール３６がスライドカラー３４に乗っかり図７（Ａ）のような状態となりロックは解除される。
【００２０】
以上、本発明の多管継手の一実施形態について説明をしたが、本発明はこれに限定されるものではない。例えば、ソケットプレート１４に配置された管継手が全てソケット２０、２２である必要はなく、ソケット２０、２２とプラグ３０、３２が混在していてもよい。プラグプレート２４についても同様にソケット２０、２２とプラグ３０、３２が混在していてもよい。ソケットプレート１４の連結部はロックソケット１６、１８である必要はなく、ロックプラグ２６、２８でもよい。プラグプレート２４についても同様にロックソケット１６、１８でもよい。必ずしも全てのソケット２０、２２とプラグ３０、３２にバルブがある必要はなく、ソケット２０、２２とプラグ３０、３２の少なくとも一つにバルブがあればよい。バルブ開閉ユニット４２にラチェットを設けて、バルブ開閉ユニットはソケットプレート１４をプラグプレート２４に引き寄せる方向にのみ回転するようにしてもよい。ソケットユニット１０とプラグユニット１２の連結を解除する際には、そのラチェットが逆方向に回転することもできる。
【符号の説明】
【００２１】
ソケットユニット１０
プラグユニット１２
ソケットプレート１４
ロックソケット１６
ロックソケット１８
ソケット２０
ソケット２２
プラグプレート２４
ロックプラグ２６
ロックプラグ２８
プラグ３０
プラグ３２
スライドカラー３４
ボール３６
ロックプラグ本体のボール溝３８
スリーブ４０
バルブ開閉ユニット４２
操作部材４４
ローラー４６
シャフト４８
ロックソケット本体５０
スプリング５２
キャップ５４
ロックプラグ本体５６
ロックプラグ本体５６の端面５８
ロックプラグ本体５６の外周のボール溝隣６０
矢印方向６２
スリーブの内周面６４
ソケット本体にあるボール穴６６
キャップの端面６８
スリーブの溝部７０
【図１】
2020085058.tif 000003
【図２】
2020085058.tif 000004
【図３】
2020085058.tif 000005
【図４】
2020085058.tif 000006
【図５】
2020085058.tif 000007
【図６】
2020085058.tif 000008
【図７】
2020085058.tif 000009
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
第一プレートと、
第二プレートと、
該第一プレートにある複数の第一連結部と、
該第二プレートにあり、該第一プレートと該第二プレートを固定するために、該複数の第一連結部と連結する複数の第二連結部と、
該第一プレートにある第一管継手と、
該第二プレートにあり、該第一管継手と連結する第二管継手と、
該第一プレートにある第三管継手と、
該第二プレートにあり、該第三管継手と連結する第四管継手と、
該第一管継手から該第四管継手の少なくとも一つに設けられたバルブと、
該第二プレートにあり、該第二連結部とは別体とされたバルブ開閉ユニットと、
を備え、
該第一管継手と該第二管継手、該第三管継手と該第四管継手が向き合った状態で、該第一プレートと該第二プレートの間の距離が第一距離にある非連結状態から、該第一プレートと該第二プレートの間の距離を該第一距離よりも近い第二距離にすると、該第一連結部と該第二連結部が連結されて該バルブが開いた状態で該第一管継手と該第二管継手、該第三管継手と該第四管継手が接続されている連結状態となり、
該バルブ開閉ユニットは、該非連結状態にあるときに該第一プレートに係合するバルブ閉位置から、該第一プレートに係合した状態で該第一プレートを該第二プレートに引き寄せ、該第一プレートと該第二プレートの間の距離を該第一距離から該第二距離にして該連結状態にするバルブ開位置との間で動くようになり、
該第一管継手から最も近い該第一連結部までの距離と、その該第一連結部から該第三管継手までの距離が等しく、
該第二管継手から最も近い該第二連結部までの距離と、その該第二連結部から該第四管継手までの距離が等しく、
該複数の第一連結部が、該第一プレートの長手軸線方向で並ぶように配置され、
該複数の第二連結部が、該第二プレートの長手軸線方向で並ぶように配置され、
該第一管継手又は該第三管継手のうち少なくとも１つが、最も近い該第一連結部と、その該第一連結部から該第一プレートの長手軸線方向で最も近い該第一プレートの端部との間に配置されており、
該第二管継手又は該第四管継手のうち少なくとも１つが、最も近い該第二連結部と、その該第二連結部から該第二プレートの長手軸線方向で最も近い該第二プレートの端部との間に配置されており、
該バルブ開閉ユニットは、
該第二プレートにシャフトを回転軸として回転可能に固定された操作部材と、
該操作部材の先端に該操作部材に対して回転可能に固定されたローラーと、
を備え、
該バルブ開閉ユニットは、該ローラーが該第一プレートに係合し該第一プレートと該第二プレートとの間の距離を該第一距離から該第二距離にするとき、該第一プレートに係合したローラーが回転しながら該第一プレートを該第二プレートに引き寄せるようにされた多管継手。
【請求項２】
該バルブ開閉ユニットは該第二プレートに複数ある、請求項１に記載の多管継手。
【請求項３】
該第一プレートにある管継手はすべてソケットであり、該第二プレートにある管継手はすべてプラグである、請求項１又は２に記載の多管継手。
【請求項４】
該第一プレートおよび該第二プレートにある全ての管継手はバルブを有している、請求項１乃至３の何れか一項に記載の多管継手。
【請求項５】
該第一管継手又は該第三管継手のうち少なくとも１つが、該第一プレートの長手軸線方向で、該複数の第一連結部の間に配置され、
該第二管継手又は第四管継手のうち少なくとも１つが、該第二プレートの長手軸線方向で、該複数の第二連結部の間に配置されている、請求項１乃至４の何れか一項に記載の多管継手。
【手続補正２】
【補正対象書類名】明細書
【補正対象項目名】０００５
【補正方法】変更
【補正の内容】
【０００５】
そこで本発明は、上記問題点に鑑み、管継手の数が多かったり使用圧力が高かったりしたときに、係止部材と施錠部材がその反力に耐えられ、かつ基板の反りを抑制することができる多管継手を提供することを目的とする。